(57)【要約】      （修正有）【課題】口腔治療中に、患者が、口腔内に溜まった水や異物を誤飲してむせることで、不快に感じたり、治療を中断したり、患者が危険にさらされることを防止するための口腔咽頭カバーを提供する。【解決手段】口腔咽頭カバーは、支持具１０と防水通気ユニット２０を備え、支持具は口内挿入フレーム部１１を含み、口内挿入フレーム部に取り囲まれた被遮蔽口１２が形成され、さらに、口内挿入フレーム部の両側にそれぞれ、折り曲げ可能な掛合部１３が設けられ、防水通気ユニットは、支持具の口内挿入フレーム部に設けられるとともに被遮蔽口を覆って遮蔽する。【選択図】図１
0003229476.tif 000002
【実用新案登録請求の範囲】
【請求項１】
支持具と防水通気ユニットを備え、
該支持具は口内挿入フレーム部を含み、該口内挿入フレーム部に取り囲まれた被遮蔽口が形成され、さらに、該口内挿入フレーム部の両側にそれぞれ、折り曲げ可能な掛合部が設けられ、
該防水通気ユニットは、該支持具の口内挿入フレーム部に設けられるとともに、該被遮蔽口を覆って遮蔽することを特徴とする、口腔咽頭カバー。
【請求項２】
前記防水通気ユニットが、ポリプロピレンメルトブローン不織布製の部材である第１防水層を備えることを特徴とする、請求項１に記載の口腔咽頭カバー。
【請求項３】
前記防水通気ユニットは、前記第１防水層の外側を覆う第２防水層を備え、該第１防水層は、該第２防水層と前記口内挿入フレーム部との間に位置し、該第２防水層は、ポリプロピレンスパンボンド不織布製の部材であることを特徴とする、請求項２に記載の口腔咽頭カバー。
【請求項４】
前記口内挿入フレーム部が、弾性を有し且つ形状が復元する材料からなる部材であることを特徴とする、請求項１から３のいずれか１項に記載の口腔咽頭カバー。
【考案の詳細な説明】
【技術分野】
【０００１】
本考案は、口腔咽頭カバーに関するものであり、特に口腔治療を行う際に患者の口内に入れて、水や他の異物によってむせるのを防ぐ口腔咽頭カバーに関するものである。
【背景技術】
【０００２】
習慣的に口呼吸を行う人々に、歯のクリーニングや歯の修復、補綴治療などの口腔治療を行う際は、口腔内に溜まった水を唾液吸引管で吸引するが、習慣的に口呼吸を行う患者や口腔腫瘍の術後の患者、認知症の患者は、口腔内に溜まった水を不注意で吸い込むことによりむせやすく、それによって不快に感じたり、治療を中断したりすることになり、さらには誤嚥性肺炎を引き起こす可能性もある。
【０００３】
また、歯科治療中には、まれに患者が歯科器具や抜去された歯などの異物を誤嚥して、緊急の状況となり、患者が危険にさらされる場合がある。
【考案の概要】
【０００４】
本考案は、上記課題を改善するための口腔咽頭カバーを提供することを主な目的とする。
【０００５】
上記の目的を達成するため、本考案の口腔咽頭カバーは、支持具と防水通気ユニットを備え、該支持具は口内挿入フレーム部を含み、該口内挿入フレーム部に取り囲まれた被遮蔽口が形成され、さらに、該口内挿入フレーム部の両側にそれぞれ、折り曲げ可能な掛合部が設けられ、該防水通気ユニットは、該支持具の口内挿入フレーム部に設けられるとともに該被遮蔽口を覆って遮蔽する。
【０００６】
使用にあたって、医師等の取扱者は、前記口内挿入フレーム部の両側の掛合部を折り曲げて、前記口腔咽頭カバーを患者の口内に配置し、折り曲げた掛合部を患者の口部に引っ掛けて、該口内挿入フレーム部を患者の口内に入れる。これにより、口腔治療を行う際、前記防水通気ユニットが治療中に口内に入ってくる水を受け止めるとともに、患者の喉に水が流れるのを遮ることができることから、患者は口呼吸をしても水でむせることがないので、治療中の安全性や円滑性を確保できるとともに、患者の不快感を軽減することができる。
【図面の簡単な説明】
【０００７】
【図１】本考案の口腔咽頭カバーの好ましい実施形態を示す立体外観概略図である。
【図２】本考案の口腔咽頭カバーの好ましい実施形態示す部分断面概略図である。
【図３】本考案の口腔咽頭カバーの別の好ましい実施形態を示す部分断面概略図である。
【図４】本考案の口腔咽頭カバーの好ましい実施形態の折り曲げられた掛合部を示す概略図である。
【図５】本考案の口腔咽頭カバーの好ましい実施形態の使用状態を示す概略図である。
【考案を実施するための形態】
【０００８】
図１及び図４に示すように、本考案の口腔咽頭カバーは、支持具１０と防水通気ユニット２０を備え、該支持具１０は口内挿入フレーム部１１を含み、該口内挿入フレーム部１１に取り囲まれた被遮蔽口１２が形成され、さらに、該口内挿入フレーム部１１の両側にそれぞれ、折り曲げ可能な掛合部１３が設けられ、該防水通気ユニット２０は、該支持具１０の口内挿入フレーム部１１に設けられるとともに、該被遮蔽口１２を覆って遮蔽し、該防水通気ユニット２０は、縫い付け又は接着により、前記口内挿入フレーム部１１に固定される。
【０００９】
図２に示すように、前記防水通気ユニット２０は第１防水層２１を備え、該第１防水層２１は、ポリプロピレンメルトブローン不織布製の部材であり、防水及び通気機能を有し、また、図３に示すように、該防水通気ユニット２０は、該第１防水層２１の外側を覆う第２防水層２２を備え、該第１防水層２１は、該第２防水層２２と前記口内挿入フレーム部１１との間に位置し、該第２防水層２２は、ポリプロピレンスパンボンド不織布製の部材であって、防水・撥水、破れ防止、通気といった機能を有し、該第２防水層２２の厚さは、該第１防水層２１よりも厚い。
【００１０】
上記において、前記口内挿入フレーム部１１は、弾性を有し且つ形状が復元する材料からなる部材であって、力を受けると変形し、外力がなくなると元に戻り、さらに、柔軟性を有する材料を選択することによって快適性を向上させることができる。
【００１１】
図４、図５に示すように、医師等の取扱者は、まず前記口腔咽頭カバーの支持具１０の掛合部１３を折り曲げ、前記口内挿入フレーム部１１の両側の掛合部１３を、湾曲したフック状にし、次いで該口腔咽頭カバーを患者３０の口部３１に配置し、該口腔咽頭カバーの口内挿入フレーム部１１を患者３０の口部３１内に入れ、該２つの掛合部１３を患者３０の口部３１の端に引っ掛けることにより、該口腔咽頭カバーを位置決めするとともに、患者３０が前記防水通気ユニット２０を誤嚥するのを防ぐことができ、また、該２つの掛合部１３の折り曲げ箇所と口内挿入フレーム部１１との距離を調節することができることから、該口内挿入フレーム部１１を患者３０の口部３１に入れる深さを調節することができ、この構成によれば、該口内挿入フレーム部１１を患者３０の口部３１に入れ、該防水通気ユニット２０を喉と唇３２との間に位置させて、咽頭部の入口を遮蔽する。前記口内挿入フレーム部１１は、弾性を有しかつ形状が復元し、さらに柔軟性を有する材料を選択することができるため、力を加えて変形させることで、よりスムーズに唇３２から口内へ入れることができるとともに、外力がなくなると形状は復元して展開するため、隙間が小さくなり、その上、柔軟材質であるため、口内に接触したときの快適性を向上させることができる。
【００１２】
図４、図５に示すように、口腔治療を行う際は、口内洗浄に用いる水を、前記防水通気ユニット２０で受け止めて、水を遮ることができるため、水は該防水通気ユニット２０に遮られて患者３０の喉に流れることがなく、さらに、該防水通気ユニット２０は通気機能を有しているため、患者３０は口呼吸が可能となるので、口呼吸の際に水でむせることがない。
【００１３】
以上のように、前記口腔咽頭カバーは、患者３０に口腔治療を行う際に、患者３０の口部３１に配置して水を遮ることができることから、患者３０は、口腔治療を受ける際に口呼吸をしてもむせることがない。従って、前記口腔咽頭カバーは、特に習慣的に口呼吸を行う患者３０や口腔腫瘍の術後の患者３０、認知症の患者３０に使用すれば、水や異物を遮る機能を提供することができ、さらに治療過程における安全性や円滑性を確保することができるとともに、患者３０が水でむせるといった不快感をなくすことができる。
【符号の簡単な説明】
【００１４】
１０  支持具
１１  口内挿入フレーム部
１２  被遮蔽口
１３  掛合部
２０  防水通気ユニット
２１  第１防水層
２２  第２防水層
３０  患者
３１  口部
３２  唇
【図１】
0003229476.tif 000003
【図２】
0003229476.tif 000004
【図３】
0003229476.tif 000005
【図４】
0003229476.tif 000006
【図５】
0003229476.tif 000007